(57)【要約】【課題】運転者が入力装置を操作する意思を有しているか否かに応じて、運転者にとって必要な時に入力操作の支援を行うことができる車両用入力支援装置を提供する。【解決手段】車両用入力支援装置は、車両に搭載された入力装置に対する運転者の入力操作を支援する車両用入力支援装置であって、運転者を撮影するカメラ(38)と、カメラにより撮影された画像に基づき、運転者の入力装置に対する操作意思の有無を判定する操作意思判定部(40)と、車両の運転状況に基づき、運転者の余裕の有無を判定する運転状況判定部(42)と、操作意思判定部により判定された運転者の入力装置に対する操作意思の有無と、運転状況判定部により判定された運転者の余裕の有無とに基づき、入力操作の支援内容を決定する支援内容決定部(44)と、支援内容決定部により決定された支援内容により運転者の入力操作を支援する入力支援部(46)とを有する。【選択図】図３
2015013511.tif 000002
【特許請求の範囲】
【請求項１】
車両に搭載された入力装置に対する運転者の入力操作を支援する車両用入力支援装置であって、
運転者を撮影する撮影手段と、
上記撮影手段により撮影された画像に基づき、運転者の入力装置に対する操作意思の有無を判定する操作意思判定手段と、
車両の運転状況に基づき、入力装置を操作するための運転者の余裕の有無を判定する運転状況判定手段と、
上記操作意思判定手段により判定された運転者の入力装置に対する操作意思の有無と、上記運転状況判定手段により判定された運転者の余裕の有無とに基づき、入力操作の支援内容を決定する支援内容決定手段と、
上記支援内容決定手段により決定された支援内容により運転者の入力操作を支援する入力支援手段と、を有することを特徴とする車両用入力支援装置。
【請求項２】
上記操作意思判定手段は、上記撮影手段により撮影された画像において、運転者が入力装置に手を伸ばしている場合に、入力装置に対する操作意思があると判定し、運転者が入力装置に手を伸ばしていない場合に、入力装置に対する操作意思がないと判定する、請求項１に記載の車両用入力支援装置。
【請求項３】
上記運転状況判定手段は、車両の速度、車両の前後を走行する他車両までの車間距離、車両が走行中のエリアの種別、車両が走行中の道路の種別、又は、車両周辺の渋滞状況に基づき、入力装置を操作するための運転者の余裕の有無を判定する、請求項１又は２に記載の車両用入力支援装置。
【発明の詳細な説明】
【技術分野】
【０００１】
本発明は、車両用入力支援装置に係わり、特に、車両に搭載された入力装置に対する運転者の入力操作を支援する車両用入力支援装置に関する。
【背景技術】
【０００２】
従来より、車両に搭載された電子機器（例えば、車両用ナビゲーション装置やオーディオ機器等）の操作を効率よく行えるようにするために、各種の入力装置（例えば、ダイアル式スイッチ、タッチパネル、音声入力装置等）による入力操作を支援するシステムが知られている。
【０００３】
例えば、特許文献１には、タッチパネルやジョグダイアル等の入力装置を備えた車両用ナビゲーション装置が開示されている。この特許文献１の装置では、入力装置を介して車両の停止中に行われた情報検索の履歴情報を記憶しておき、車両が停止から走行に切り替わった場合には検索された地点周辺の地図を表示し、車両が走行から停止に切り替わった場合には記憶された履歴情報に基づき検索画面を表示する。これにより、車両の停止中に途中まで入力された検索情報を走行開始後も有効に活用できるようにしている。
【０００４】
また、特許文献２には、操作キー、タッチパネル、音声入力マイク等を備えた車載用ナビゲーション装置が開示されている。この特許文献２の装置では、ユーザが停車中に手操作入力を行い、その途中において走行が開始された場合、その手操作入力を走行開始後において音声操作入力により継続できるようにしている。
【０００５】
また、特許文献３には、複数の入力操作を受け付けるマニュアル入力部と、このマニュアル入力部と同様の操作を音声により受け付ける音声入力部とを備えた車両用ナビゲーション装置が開示されている。この特許文献３の装置では、車両が走行中か停止中かに基づき、マニュアル入力部と音声入力部とのアクティブ状態を切り替えることにより、車両が走行中か停止中かに関わらず、ナビゲーション装置に対する操作を継続できるようにしている。
【先行技術文献】
【特許文献】
【０００６】
【特許文献１】特開２００２−２５０６３６号公報
【特許文献２】特開２００５−１２１５６３号公報
【特許文献３】国際公開ＷＯ０３／０７８９３０号公報
【発明の概要】
【発明が解決しようとする課題】
【０００７】
ところで、近年では、車両に搭載される電子機器の高機能化・多機能化が進んでおり、それに伴って入力装置の操作方法が複雑になっている。従って、入力装置に対する運転者の入力操作を支援する必要性が高まっている。
但し、運転者が入力装置を操作する意思がないにも関わらず、入力操作の支援のための表示や音声案内を行うことは、かえって運転者に煩わしさを感じさせることになる。従って、運転者にとって必要な時に入力操作の支援を行うことが望ましい。
【０００８】
しかしながら、上述した特許文献１乃至３に記載されたナビゲーション装置は、単に、車両が停止中か走行中かに応じて、運転者からの入力操作を受け付ける入力装置を切り替えたり、運転者から入力された情報を記憶したりするものに過ぎず、運転者が入力装置を操作する意思を有しているか否かを十分に考慮したものとはいえない。即ち、従来の技術は、運転者にとって必要な時に入力操作の支援を行うことができないという問題がある。
【０００９】
本発明は、上述した従来技術の問題点を解決するためになされたものであり、運転者が入力装置を操作する意思を有しているか否かに応じて、運転者にとって必要な時に入力操作の支援を行うことができる車両用入力支援装置を提供することを目的とする。
【課題を解決するための手段】
【００１０】
上記の目的を達成するために、本発明の車両用入力支援装置は、車両に搭載された入力装置に対する運転者の入力操作を支援する車両用入力支援装置であって、運転者を撮影する撮影手段と、撮影手段により撮影された画像に基づき、運転者の入力装置に対する操作意思の有無を判定する操作意思判定手段と、車両の運転状況に基づき、運転者の余裕の有無を判定する運転状況判定手段と、操作意思判定手段により判定された運転者の入力装置に対する操作意思の有無と、運転状況判定手段により判定された運転者の余裕の有無とに基づき、入力操作の支援内容を決定する支援内容決定手段と、支援内容決定手段により決定された支援内容により運転者の入力操作を支援する入力支援手段と、を有することを特徴とする。
このように構成された本発明においては、操作意思判定手段は、撮影手段により撮影された画像を利用して運転者の実際の行動を特定するので、運転者の入力装置に対する操作意思の有無を確実に判定することができる。従って、支援内容決定手段は、運転者の余裕の有無と、運転者が入力装置を操作する意思を実際に有しているか否かに応じて、支援内容を決定することができる。これにより、入力支援手段は運転者にとって必要な時に入力操作の支援を行うことができる。
【００１１】
また、本発明において、好ましくは、操作意思判定手段は、撮影手段により撮影された画像において、運転者が入力装置に手を伸ばしている場合に、入力装置に対する操作意思があると判定し、運転者が入力装置に手を伸ばしていない場合に、入力装置に対する操作意思がないと判定する。
このように構成された本発明においては、操作意思判定手段は、運転者が入力装置に手を伸ばしている場合に、入力装置に対する操作意思があると判定し、運転者が入力装置に手を伸ばしていない場合に、入力装置に対する操作意思がないと判定するので、運転者の入力装置に対する操作意思の有無を確実に判定することができる。従って、支援内容決定手段は、運転者の余裕の有無と、運転者が入力装置を操作する意思を実際に有しているか否かに応じて、支援内容を決定することができ、入力支援手段は運転者にとって必要な時に入力操作の支援を行うことができる。
【００１２】
また、本発明において、好ましくは、運転状況判定手段は、車両の速度、車両の前後を走行する他車両までの車間距離、車両が走行中のエリアの種別、車両が走行中の道路の種別、又は、車両周辺の渋滞状況に基づき、入力装置を操作するための運転者の余裕の有無を判定する。
このように構成された本発明においては、運転状況判定手段は、運転者の集中力に影響を与える要因に基づき、入力装置を操作するための余裕が運転者に残されているか否かを判定するので、入力装置を操作するための運転者の余裕の有無を正確に判定することができる。従って、支援内容決定手段は、運転者の余裕の有無と、運転者が入力装置を操作する意思を実際に有しているか否かに応じて、適切な支援内容を決定することができ、入力支援手段は運転者にとって必要な時に入力操作の支援を行うことができる。
【発明の効果】
【００１３】
本発明による車両用入力支援装置によれば、運転者が入力装置を操作する意思を有しているか否かに応じて、運転者にとって必要な時に入力操作の支援を行うことができる。
【図面の簡単な説明】
【００１４】
【図１】本発明の実施形態による車両用入力支援装置を搭載した車両のインストルメントパネル周辺を示す斜視図である。
【図２】図１に示した車両のセンターコンソールに設けられたコマンドスイッチを示す平面図である。
【図３】本発明の実施形態による車両用入力支援装置を搭載した車両の電気的構成を示すブロック図である。
【図４】本発明の実施形態による車両用入力支援装置の支援テーブルに記憶されている情報を例示した表である。
【図５】本発明の実施形態による車両用入力支援装置が行う入力支援処理のフローチャートである。
【図６】本発明の実施形態による車両用入力支援装置のカメラによって撮影された車室内の画像を示す図である。
【図７】本発明の実施形態による車両用入力支援装置によりセンターディスプレイに表示された映像を示す図である。
【図８】本発明の実施形態による車両用入力支援装置によりセンターディスプレイに表示された映像を示す図である。
【発明を実施するための形態】
【００１５】
以下、添付図面を参照して、本発明の実施形態による車両用入力支援装置を説明する。
まず、図１及び図２により、本発明の実施形態による車両用入力支援装置の構成を説明する。図１は、本発明の実施形態による車両用入力支援装置を搭載した車両のインストルメントパネル周辺を示す斜視図であり、図２は、図１に示した車両のセンターコンソールに設けられたコマンドスイッチを示す平面図である。
【００１６】
図１に示すように、符号１は、本発明の実施形態による車両用入力支援装置を搭載した車両の車室を示し、この車室１の前部には、車幅方向に延びるインストルメントパネル２が設けられている。また、インストルメントパネル２の車幅方向中央部から車室１の後部に向かって、センターコンソール４が延設されている。さらに、インストルメントパネル２の運転席側の側面に設けられた開口にコラムシャフト６が挿通されており、このコラムシャフト６にステアリングホイール８が取り付けられている。
【００１７】
インストルメントパネル２の車幅方向中央部の上面には、タッチパネル機能を備えたセンターディスプレイ１０が設けられている。また、インストルメントパネル２の運転席側（図１における左側）の側面に、メータユニット１２が設けられている。さらに、インストルメントパネル２の運転席側の上面に、ヘッドアップディスプレイ１４が設けられている。
また、センターディスプレイ１０の近傍（図１ではセンターディスプレイ１０の左側）には、カメラ付携帯情報端末１６（例えば、スマートフォン、メディアプレーヤー、タブレット等）が設置される。
【００１８】
センターコンソール４の上面には、車両の変速機の変速操作を行うためのシフトレバー１８と、ナビゲーションシステムやクルーズコントロール機能等の各種車載機能に関する操作を行うためのコマンドスイッチ２０が設けられている。
【００１９】
図１及び図２に示すように、コマンドスイッチ２０は、円筒状のダイアルスイッチ２２と、このダイアルスイッチ２２の近傍に配置された５つのプッシュスイッチ２４とを備えている。
ダイアルスイッチ２２は、その中心軸線が車両の上下方向に沿って延びるように配置されている。このダイアルスイッチ２２は、中心軸線周りの回転操作、車両の前後方向のチルト操作、車幅方向のチルト操作、及び、押し下げ操作を行えるようになっている。
また、ダイアルスイッチ２２の前方には、３つのプッシュスイッチ２４が車幅方向に並んで配置され、ダイアルスイッチ２２の車幅方向左側と右側にそれぞれ１つずつプッシュスイッチ２４が配置されている。
【００２０】
次に、図３及び図４により、本発明の実施形態による車両用入力支援装置の電気的構成を説明する。図３は、本発明の実施形態による車両用入力支援装置を搭載した車両の電気的構成を示すブロック図であり、図４は、支援テーブルに記憶されている情報を例示した表である。
【００２１】
図３に示すように、車両用入力支援装置を搭載した車両には、この車両に搭載された各種電子機器を接続するネットワーク２６が設けられており、このネットワーク２６に、車両の移動に伴って得られる車速パルスを検出する車速センサ２８と、車両の前後を走行する他車両までの車間距離を検出する車間距離センサ３０とが接続されている。
【００２２】
また、車両には、情報機器としてオーディオ機器３２及びナビゲーション装置３４が搭載されており、さらに、これらの情報機器を制御するための情報機器制御装置３６が設けられている。情報機器制御装置３６は、センターディスプレイ１０、コマンドスイッチ２０、オーディオ機器３２、及び、ナビゲーション装置３４と接続されており、コマンドスイッチ２０への入力操作の内容に応じてオーディオ機器３２やナビゲーション装置３４を制御し、あるいは、オーディオ機器３２やナビゲーション装置３４から出力された情報をセンターディスプレイ１０に表示させるように制御を行う。
【００２３】
コマンドスイッチ２０に対する運転者の入力操作を支援するための車両用入力支援装置は、この情報機器制御装置３６と、車室１内を撮影するカメラ３８によって構成される。
【００２４】
カメラ３８は、車両用入力支援装置が搭載された車両の車室１内に向けて設置され、撮影した画像データを操作意思判定部４０に出力する。このカメラ３８としては、例えば、スマートフォンやメディアプレーヤー等のカメラ付携帯情報端末１６が使用される。車両に搭載されたカメラ付携帯情報端末１６は、有線又は無線により、情報機器制御装置３６に接続され、このカメラ付携帯情報端末１６のカメラ３８によって撮影された画像を情報機器制御装置３６に出力する。
【００２５】
情報機器制御装置３６は、カメラ３８により撮影された画像に基づいてコマンドスイッチ２０に対する運転者の操作意思の有無を判定する操作意思判定部４０と、入力装置を操作するための運転者の余裕の有無を判定する運転状況判定部４２と、操作意思判定部４０により判定された運転者の入力装置に対する操作意思の有無と運転状況判定部４２により判定された運転者の余裕の有無とに基づき、入力操作の支援内容を決定する支援内容決定部４４と、支援内容決定部４４により決定された支援内容により運転者の入力操作を支援する入力支援部４６と、支援内容決定部４４が入力操作の支援内容を決定する際に用いるデータを記憶する記憶部４８とを有する。これらの内、操作意思判定部４０、運転状況判定部４２、支援内容決定部４４、及び、入力支援部４６は、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＯＭやＲＡＭの如き内部メモリを備えるコンピュータにより構成される。
【００２６】
記憶部４８は、支援内容決定部４４が入力操作の支援内容を決定する際に参照する支援テーブル４８ａを記憶している。この記憶部４８は、例えば、ハードディスクドライブやソリッドステートドライブ等の不揮発性記憶装置を用いて構成される。
図４に示すように、支援テーブル４８ａには、オーディオ機器３２やナビゲーション装置３４に対する入力操作を受け付ける状態（以下、「入力待ち状態」という）にあるスイッチを特定した情報（図４では「ダイアルのみ」及び「ダイアル＋プッシュ」）と、操作意思の有無を特定した情報（図４では「操作意思あり」及び「操作意思なし」）と、運転者の余裕の有無を特定した情報（図４では「余裕あり」及び「余裕なし」）と、入力操作の支援内容を特定した情報（図４では「強調表示」等）が、相互に関連付けて記憶されている。
【００２７】
この支援テーブル４８ａに記憶された入力操作の支援内容の内、「強調表示」は、運転者がオーディオ機器３２やナビゲーション装置３４に所望の機能を実行させるための選択肢としてセンターディスプレイ１０に表示されている複数の選択肢の内、推奨される選択肢や選択される可能性の高い選択肢を強調表示することを表している。
また、「強調表示＋音声案内」は、運転者がオーディオ機器３２やナビゲーション装置３４に所望の機能を実行させるための選択肢としてセンターディスプレイ１０に表示されている複数の選択肢の内、推奨される選択肢や選択される可能性の高い選択肢を強調表示すると共に、各選択肢を音声により読み上げることを表している。
また、「スイッチ配列重畳表示」は、ダイアルスイッチ２２及びプッシュスイッチ２４の配列を、センターディスプレイ１０に表示されている複数の選択肢の上に重畳表示させることを表している。
また、「支援なし」は、コマンドスイッチ２０に対する運転者の入力操作を特に支援しないことを表している。
【００２８】
次に、図５乃至図８により、車両用入力支援装置が行う入力支援処理について説明する。図５は、本発明の実施形態による車両用入力支援装置が行う入力支援処理のフローチャートであり、図６は、本発明の実施形態による車両用入力支援装置のカメラ３８によって撮影された車室１内の画像を示す図であり、図７及び図８は、本発明の実施形態による車両用入力支援装置によりセンターディスプレイ１０に表示された映像を示す図である。
この入力支援処理は、情報機器制御装置３６に電源が投入された場合に起動され、繰り返し実行される。
【００２９】
図５に示すように、入力支援処理が開始されると、ステップＳ１において、支援内容決定部４４は、オーディオ機器３２又はナビゲーション装置３４が動作中であるか否かを判定する。具体的には、支援内容決定部４４は、オーディオ機器３２又はナビゲーション装置３４に電源が投入されており、そのオーディオ機器３２又はナビゲーション装置３４から出力された情報がセンターディスプレイ１０に表示されているか否かについての情報を、オーディオ機器３２及びナビゲーション装置３４から取得する。その結果、オーディオ機器３２又はナビゲーション装置３４から出力された情報がセンターディスプレイ１０に表示されていない場合、支援内容決定部４４は、オーディオ機器３２及びナビゲーション装置３４が動作中ではないと判定し、オーディオ機器３２及びナビゲーション装置３４が動作中であると判定されるまでステップＳ１を繰り返す。
一方、オーディオ機器３２又はナビゲーション装置３４から出力された情報がセンターディスプレイ１０に表示されている場合、支援内容決定部４４は、そのオーディオ機器３２又はナビゲーション装置３４が動作中であると判定し、ステップＳ２に進む。
【００３０】
次に、ステップＳ２において、支援内容決定部４４は、ステップＳ１において動作中であると判定されたオーディオ機器３２又はナビゲーション装置３４が、コマンドスイッチ２０による入力操作を待機している待機状態か否かを判定する。具体的には、支援内容決定部４４は、動作中のオーディオ機器３２又はナビゲーション装置３４が待機状態であるか否かについての情報を、オーディオ機器３２及びナビゲーション装置３４から取得する。その結果、動作中のオーディオ機器３２又はナビゲーション装置３４が待機状態ではない場合、支援内容決定部４４は、オーディオ機器３２及びナビゲーション装置３４が待機状態となるまでステップＳ２を繰り返す。
【００３１】
一方、動作中のオーディオ機器３２又はナビゲーション装置３４が待機状態である場合、支援内容決定部４４は、ステップＳ３に進み、オーディオ機器３２やナビゲーション装置３４に対する入力操作を受け付ける状態、すなわち入力待ち状態にあるスイッチを特定する。具体的には、支援内容決定部４４は、入力待ち状態にあるスイッチを特定した情報を、オーディオ機器３２及びナビゲーション装置３４から取得し、この情報に基づき、ダイアルスイッチ２２のみが入力待ち状態にあるのか、又は、ダイアルスイッチ２２及びプッシュスイッチ２４が入力待ち状態にあるのかを特定する。
【００３２】
次に、ステップＳ４に進み、操作意思判定部４０は、カメラ３８によって撮影された車室１内の画像を取得する。続いて、ステップＳ５に進み、操作意思判定部４０は、ステップＳ４において取得した車室１内の画像に基づき、コマンドスイッチ２０に対する運転者の操作意思の有無を判定する。
具体的には、操作意思判定部４０は、車室１内の画像を解析した結果、図６（ａ）に示すように運転者がコマンドスイッチ２０に手を伸ばしている場合には操作意思があると判定し、図６（ｂ）に示すように運転者がコマンドスイッチ２０に手を伸ばしていない場合には操作意思がないと判定する。
【００３３】
次に、ステップＳ６に進み、運転状況判定部４２は、車両の現在車速を車速センサ２８から取得し、車両の前後を走行する他車両までの車間距離を車間距離センサ３０から取得する。また、運転状況判定部４２は、車両が現在走行中のエリア種別（具体的には、市街地、郊外、山間部等）、車両が現在走行中の道路種別（具体的には、一般道路、自動車専用道路、高速道路等）、及び、車両周辺の渋滞状況をナビゲーション装置３４から取得する。
【００３４】
続いて、ステップＳ７に進み、運転状況判定部４２は、ステップＳ６において取得した現在車速、車間距離、エリア種別、道路種別、及び、渋滞状況に基づき、運転者の余裕の有無を判定する。
具体的には、運転状況判定部４２は、車両の周辺が渋滞中である場合、車両が現在走行中のエリアが市街地である場合、又は、車両の前後を走行する他車両までの車間距離が閾値（例えば、１００ｍ）未満である場合、事故防止のため運転者には高い集中力が要求されることから、運転者の余裕はないと判定する。
一方、車両の周辺が渋滞中ではなく、現在走行中のエリア種別が市街地以外であり、且つ、車両の前後を走行する他車両までの車間距離が閾値（例えば、１００ｍ）以上である場合において、現在走行中の道路種別が自動車専用道路若しくは高速道路である場合、又は、現在走行中の道路種別が一般道路であり現在車速が所定の閾値（例えば４０ｋｍ／ｈ）未満である場合には、運転者にそれ程高い集中力が要求されないと考えられることから、運転者の余裕はあると判定する。
【００３５】
次に、ステップＳ８に進み、支援内容決定部４４は、ステップＳ３において支援内容決定部４４により特定された入力待ち状態にあるスイッチと、ステップＳ５において操作意思判定部４０により判定された運転者の操作意思の有無と、ステップＳ７において運転状況判定部４２により判定された運転者の余裕の有無とに基づき、入力操作の支援内容を決定する。
具体的には、支援内容決定部４４は、図４に示した支援テーブル４８ａを参照し、ステップＳ３において支援内容決定部４４により特定された入力待ち状態にあるスイッチと、ステップＳ５において操作意思判定部４０により判定された運転者の操作意思の有無と、ステップＳ７において運転状況判定部４２により判定された運転者の余裕の有無とに対応する支援内容を取得する。
【００３６】
例えば、ステップＳ３において、支援内容決定部４４により、入力待ち状態にあるスイッチはダイアルスイッチ２２のみであると特定され、ステップＳ５において、操作意思判定部４０により、コマンドスイッチ２０に対する運転者の操作意思があると判定され、ステップＳ７において、運転状況判定部４２により、運転者の余裕があると判定された場合、支援内容決定部４４は、図４に示した支援テーブル４８ａに基づき、入力操作の支援内容を「強調表示」に決定する。
【００３７】
次に、ステップＳ９に進み、入力支援部４６は、ステップＳ８において支援内容決定部４４が決定した支援内容により、コマンドスイッチ２０に対する運転者の入力操作を支援するための制御を行う。
具体的には、入力支援部４６は、ステップＳ８において支援内容決定部４４が決定した支援内容に対応する画像をセンターディスプレイ１０に表示させ、あるいは、その支援内容に対応する音声をオーディオ機器３２から出力させる。
【００３８】
例えば、ステップＳ８において支援内容決定部４４が決定した支援内容が「強調表示」である場合、図７に示すように、入力支援部４６は、運転者がオーディオ機器３２やナビゲーション装置３４に所望の機能を実行させるための選択肢としてセンターディスプレイ１０に表示されている複数の選択肢の内、推奨される選択肢や選択される可能性の高い選択肢を強調表示させる。
【００３９】
また、ステップＳ８において支援内容決定部４４が決定した支援内容が「強調表示＋音声案内」である場合、入力支援部４６は、図７に示したような強調表示をセンターディスプレイ１０に表示させると共に、オーディオ機器３２により、各選択肢を音声出力させる。
【００４０】
また、ステップＳ８において支援内容決定部４４が決定した支援内容が「スイッチ配列重畳表示」である場合、図８に示すように、入力支援部４６は、ダイアルスイッチ２２及びプッシュスイッチ２４の配列を、センターディスプレイ１０に表示されている複数の選択肢の上に重畳表示させる。
【００４１】
また、ステップＳ８において支援内容決定部４４が決定した支援内容が「支援なし」の場合、入力支援部４６は、コマンドスイッチ２０に対する運転者の入力操作を支援するための制御を特に行わない。
【００４２】
ステップＳ９の後、情報機器制御装置３６はステップＳ１に戻る。
【００４３】
次に、上述した本実施形態の車両用入力支援装置による作用効果を説明する。
【００４４】
まず、操作意思判定部４０は、カメラ３８により撮影された画像を利用して運転者の実際の行動を特定するので、運転者のコマンドスイッチ２０に対する操作意思の有無を確実に判定することができる。従って、支援内容決定部４４は、運転者の余裕の有無と、運転者がコマンドスイッチ２０を操作する意思を実際に有しているか否かに応じて、支援内容を決定することができる。これにより、入力支援部４６は運転者にとって必要な時に入力操作の支援を行うことができる。
【００４５】
特に、操作意思判定部４０は、運転者がコマンドスイッチ２０に手を伸ばしている場合に、コマンドスイッチ２０に対する操作意思があると判定し、運転者がコマンドスイッチ２０に手を伸ばしていない場合に、コマンドスイッチ２０に対する操作意思がないと判定するので、運転者のコマンドスイッチ２０に対する操作意思の有無を確実に判定することができる。従って、支援内容決定部４４は、運転者の余裕の有無と、運転者がコマンドスイッチ２０を操作する意思を実際に有しているか否かに応じて、支援内容を決定することができ、入力支援部４６は運転者にとって必要な時に入力操作の支援を行うことができる。
【００４６】
また、運転状況判定部４２は、運転者の集中力に影響を与える要因に基づき、コマンドスイッチ２０を操作するための余裕が運転者に残されているか否かを判定するので、コマンドスイッチ２０を操作するための運転者の余裕の有無を正確に判定することができる。従って、支援内容決定部４４は、運転者の余裕の有無と、運転者がコマンドスイッチ２０を操作する意思を実際に有しているか否かに応じて、適切な支援内容を決定することができ、入力支援部４６は運転者にとって必要な時に入力操作の支援を行うことができる。
【符号の説明】
【００４７】
１  車室
２  インストルメントパネル
４  センターコンソール
６  コラムシャフト
８  ステアリングホイール
１０  センターディスプレイ
１２  メータユニット
１４  ヘッドアップディスプレイ
１６  カメラ付携帯情報端末
１８  シフトレバー
２０  コマンドスイッチ
２２  ダイアルスイッチ
２４  プッシュスイッチ
２６  ネットワーク
２８  車速センサ
３０  車間距離センサ
３２  オーディオ機器
３４  ナビゲーション装置
３６  情報機器制御装置
３８  カメラ
４０  操作意思判定部
４２  運転状況判定部
４４  支援内容決定部
４６  入力支援部
４８  記憶部
４８ａ  支援テーブル
【図１】
2015013511.tif 000003
【図２】
2015013511.tif 000004
【図３】
2015013511.tif 000005
【図４】
2015013511.tif 000006
【図５】
2015013511.tif 000007
【図６】
2015013511.tif 000008
【図７】
2015013511.tif 000009
【図８】
2015013511.tif 000010